(57)【要約】【課題】  注射対象の個人差や対面実施等の臨場感を再現した状態で練習し、より練習効果を向上させることができる注射練習具を実現する。【解決手段】  本発明の注射練習具は、縦長で幅方向の中心部が突弧状に膨出する取付本体１の上面に模擬皮下組織層２を装着し、模擬皮下組織層２の上に模擬血管３を配置し、模擬血管３の上方を覆って模擬皮膚層４を配置し、内方の腕通し部分５１に腕５０を通して使用する。装着する腕５０の太さに応じて取付本体１の湾曲状態を適宜、変更して使用することができ、注射対象の個人差や対面実施等の臨場感のある練習が可能になる。また、上カバー５の押え具８を駆血帯１６で押圧することによって、模擬血管３を圧迫することが可能になる。【選択図】  図１
2019152770.tif 000002
【特許請求の範囲】
【請求項１】
縦長で幅方向の中心部が突弧状に湾曲する取付本体の上面に模擬皮下組織層を装着し、該模擬皮下組織層の上に模擬血管を配置し、該模擬血管の上方を覆って模擬皮膚層を配置し、その内方に腕通し部分を有する注射練習具において、
硬質素材からなる前記取付本体は、湾曲した突弧状の形態で、湾曲形態を変更する湾曲変更手段が形成されることを特徴とする注射練習具。
【請求項２】
湾曲変更手段は、取付本体の長手方向にかけて形成する折り曲げ溝を幅方向に複数設けたことを特徴とする請求項１に記載の注射練習具。
【請求項３】
模擬皮膚層を有する上カバーは、一方の側方で取付本体に開閉自在に取り付けられるものであって、
もう一方の側方では、開閉状態を係止する揺動自在の係止手段を有することを特徴とする請求項１または２のいずれかに記載の注射練習具。
【請求項４】
上カバーは、駆血帯通し孔を有する駆血帯巻付け部分を有することを特徴とする請求項３に記載の注射練習具。
【請求項５】
模擬血管は、一方の先端が閉塞した管状とし、開放端を柔軟な素材で形成し模擬血液を密封した模擬血液バックに連結し、
取付本体の長手方向の一端部に、前記模擬血液バックを収容するバック収容部を形成し、該バック収容部に収容した模擬血液バックから前記模擬血管を模擬皮下組織層上に延長させたものであって、
上カバーには、収容した模擬血液バックを圧迫する押え具を設け、
前記押え具が駆血帯巻付け部分を兼ねることを特徴とする請求項４に記載の注射練習具。
【請求項６】
取付本体の一端部に、複数のバック収容部を前記取付本体の円周方向に並設し、押え具は、前記一端部の上面全体を覆うことを特徴とする請求項５に記載の注射練習具。
【請求項７】
取付本体は、湾曲した突弧状の形態で保持するデッキに着脱自在としたことを特徴とする請求項１、２、３、４、５または６のいずれかに記載の注射練習具。
【発明の詳細な説明】
【技術分野】
【０００１】
本発明は、医師、看護師、助産師、保健師、臨床検査技師、救急救命士、看護学生など医療関係者用の注射練習具に関し、より詳しくは、現実の注射感覚に近い状態を再現し、練習効果を向上させる注射練習具の構造に係る発明である。
【背景技術】
【０００２】
注射は、医師、看護師、助産師、保健師、臨床検査技師、救急救命士、看護学生などの医療関係者にとって、必要不可欠の技術であり、その技量不足は、直ちに患者に苦痛を与えるものである。ところが、注射技術の向上は、従来医療関係者各自の経験の積み重ねに依存するところが大きく、効果的な訓練を行なう注射練習具がなかった。
【０００３】
特許文献１には、略かまぼこ状に形成する取付本体の上面に模擬皮下組織層を貼着し、該模擬皮下組織層の上に模擬血管を配置し、該模擬皮下組織層の上方を模擬皮膚層で覆って、該模擬皮膚層の上から注射針を刺す、注射練習器具の発明が開示されている。特許文献２には、スポンジ材を備えたベースと、ゲル材を備えた人工皮膚の間に人工血管を配置し、人工皮膚の上から針を刺入させる血管注射シミュレータの発明が記載され、駆血帯を用いることによって怒張状態（うっ血状態）を模擬できるという思想が開示されている。
【先行技術文献】
【特許文献】
【０００４】
【特許文献１】特許第５６４９６７６号公報
【特許文献２】特開２００６−３１７６３５号公報
【発明の概要】
【発明が解決しようとする課題】
【０００５】
特許文献１に記載された注射練習具では、机などに取付本体を載置して使用するとともに、サイズが一定であるため、腕の太さの違いなどの個人差や臨場感を再現することは困難であった。また、現実の駆血帯を用いて怒張させた状態を再現することはできなかった。
【０００６】
特許文献２に記載された発明では、駆血帯を用いて怒張させた状態を再現することができるというものであるが、人工血管を駆血帯で縛るだけでは、血管の内圧を十分に上昇させることができないため、臨場感のある状態を再現することが困難であった。また、ベースなどの外観が軟質部材で形成されているため、練習者が未経験であると、ベースを通り越して疑似被用者の腕に刺さるのではないかなどの不安を感じてしまうことがあった。
【０００７】
上記、従来技術の欠点に鑑み、疑似被用者の個人差や対面実施等の臨場感を再現した状態で練習をすることができ、より練習効果を向上させることができる注射練習具を実現することを目的とする発明である。
【課題を解決するための手段】
【０００８】
本発明の注射練習具は、縦長で幅方向の中心部が突弧状に湾曲する取付本体の上面に模擬皮下組織層を装着し、該模擬皮下組織層の上に模擬血管を配置し、該模擬血管の上方を覆って模擬皮膚層を配置し、その内方に腕通し部分を有する注射練習具において、硬質素材からなる前記取付本体は、湾曲した突弧状の形態で、湾曲形態を変更する湾曲変更手段が形成されることを特徴とするものである。
【０００９】
また、湾曲変更手段は、取付本体の長手方向にかけて形成する折り曲げ溝を幅方向に複数設けたものであることが好ましい。
【００１０】
また、模擬皮膚層を有する上カバーは、一方の側方で取付本体に開閉自在に取り付けられるものであって、もう一方の側方では、開閉状態を係止する揺動自在の係止手段を有することが好ましい。
【００１１】
また、上カバーは、駆血帯通し孔を有する駆血帯巻付け部分を有することが好ましい。
【００１２】
また、模擬血管は、一方の先端が閉塞した管状とし、開放端を柔軟な素材で形成し、模擬血液を密封した模擬血液バックに連結し、取付本体の長手方向の一端部に、前記模擬血液バックを収容するバック収容部を形成し、該バック収容部に収容した模擬血液バックから前記模擬血管を模擬皮下組織層上に延長させたものであって、上カバーには、収容した模擬血液バックを圧迫する押え具を設け、前記押え具が駆血帯巻付け部分を兼ねることが好ましい。
【００１３】
また、取付本体の一端部に、複数のバック収容部を前記取付本体の円周方向に並設し、押え具は、前記一端部の上面全体を覆うことが好ましい。
【００１４】
また、取付本体は、湾曲した突弧状の形態で保持するデッキに着脱自在としたことが好ましい。
【発明の効果】
【００１５】
請求項１に記載の発明により、腕に装着する取付本体の湾曲を適宜、変更して使用することができる。従来の腕に装着する練習具よりも、模擬皮膚層や模擬皮下組織層以外の多くの部分が硬質樹脂により形成されているため、練習者が未経験であっても、安心して、使用することができる。模擬血管に刺さらなくとも、取付本体を通り越して実際の腕に刺さることなく、安心して臨場感ある練習が可能になる。
【００１６】
また、請求項２に記載の発明により、湾曲変更手段が形成されており、巻き付ける腕の太さに応じて取付本体の湾曲状態を変更することが可能になる。
【００１７】
また、請求項３に記載の発明により、上カバーの安定した係止が可能になる。これは、取付本体を使用した場合には、前後方向に掛けて若干のアーチ状態（湾曲状態）が異なるものとなる（手首側にかけて収縮する）。そこで、上カバーの係止爪を被係止部に係合させ易くするために。被係止部を前後方向に揺動、回動することが好ましく、上カバーの安定した係止が可能になる。
【００１８】
また、請求項４、５に記載の発明により、練習者が駆血帯の巻き付け位置を把握し易くするとともに、駆血帯の巻き付けが模擬血液バックを押える押え具を兼ねることで、駆血帯の巻き付けが模擬血液バックを圧迫でき、より臨場感ある練習が可能になる。
【００１９】
また、請求項６に記載の発明により、複数の模擬血液を使用することができ、押え具で全ての模擬血液バックの固定が可能になる。
【００２０】
また、請求項７に記載の発明により、卓上で使用できるデッキに着脱自在にすることができ、卓上で使用する場合と腕に巻き付けて使用する場合との両方に使用することが可能になる。
【図面の簡単な説明】
【００２１】
【図１】本発明の実施形態に係る注射練習具の斜視図である。
【図２】図１の注射練習具を腕に装着した状態の斜視図である。
【図３】図１の注射練習具の取付本体を示し、（ａ）が斜視図であり、（ｂ）が平面図である。
【図４】図２の注射練習具を装着部によって縮径する動作の説明図である。
【図５】図１の注射練習具の模擬皮下組織層の斜視図である。
【図６】図１の注射練習具の模擬皮膚層及び上カバーの斜視図である。
【図７】図６の模擬皮膚層及び上カバーを示し、（ａ）が平面図であり、（ｂ）が底面図である。
【図８】図３の取付本体に被係止部を設けた側面図である。
【図９】図８の被係止部の斜視図である。
【図１０】図１の注射練習具の模擬血液バックの斜視図である。
【図１１】図１の注射練習具の押え具によって押圧する動作の説明図である。
【発明を実施するための形態】
【００２２】
以下、本発明に係る注射練習具の実施形態を添付の図面に基づいて説明する。なお、本説明にあたり、取付本体１の長手方向を前後方向とし、図１の左奥側を前側とし、右手前側を後側とする。また、取付本体１の長手方向と直交する方向を幅方向としてその幅方向両側を側方として説明する。
【００２３】
本発明に係る注射練習具の基本的な形態は、図１に示すように、取付本体１と、取付本体１の上面に配置する模擬皮下組織層２と、模擬皮下組織層２の上に配置する模擬血管３、３に連結して模擬血液を供給する模擬血液バック６、６と、模擬血管３、３の上方を覆う模擬皮膚層４を張設する上カバー５とを備えている。
【００２４】
取付本体１は、硬質樹脂からなる略板状体を全体として突弧形状、アーチ形状に湾曲した形態を有するものである。突弧形状、アーチ形状となる取付本体１の裏面側となる内方が開放されており、その開放された内方部分が腕通し部分５１となる。取付本体１は、ベース４０に取り付けた状態で卓上に置いて使用することもできるが、図２に示すように、ベース４０から取り外して、取付本体１の内方部分となる腕通し部分５１を疑似被用者の腕５０に巻いて使用することもできる。
【００２５】
図２に示すように、疑似被用者の腕５０に巻いて使用する場合、取付本体１を腕５０の肘関節から５〜１０ｃｍ中枢側（肩側）より手首側の位置で装着部２０によって装着する（図４参照）。そして、腕５０に装着させた状態で模擬皮膚層４の表面（上面）から模擬血管３に注射針を刺して、血管注射の練習をすることができる。疑似被用者の腕５０に装着することで、対面した疑似被用者の腕への血管注射を模すことができ、疑似被用者の個人差や対面実施等の臨場感を再現することができる。
【００２６】
まず、取付本体１の構成について説明する。取付本体１は、ＡＢＳ樹脂など硬質の合成樹脂材を用いている。このように硬質素材を用いることにより、練習者が誤って使用した場合に、注射針が取付本体１を貫通することを防ぐのみならず、模擬皮膚層４や模擬皮下組織層２等を除いた全体及び外観が硬質素材によって成型されているものであるため、注射練習が未経験であっても安心して利用することができる。
【００２７】
図３に示すように、取付本体１の縦方向長さ（図３の長手方向長さ）は一般的な人の肘関節から５〜１０ｃｍ中枢側（肩側）から前腕までとなる所定の長さを有し、本実施形態では２３０ｍｍとしている。取付本体１の左右端部に形成される両側差込片３０、３０間となる幅方向長さは、一般的な人の肘より手首までの位置での腕の太さとなる所定の長さを有し、本実施形態では１１５ｍｍとしている。取付本体１は、幅方向の中心部を突弧状に湾曲させて、全体として突弧状、アーチ状に成型する。両差込片３０、３０間から突弧状となった頂点の高さは、約４５ｍｍである。
【００２８】
取付本体１は、長手方向の両前後端が起立した起立片３１、３１を有する。取付本体１の表面では、この長手方向に沿って、前側の起立片３１から後側の起立片３１にかけて、湾曲変更手段である２本の折り曲げ溝２７、２７を有する。この折り曲げ溝２７、２７に対応する前後の起立片３１、３１の位置で切り欠かれた切欠き３２、３２が形成される。この折り曲げ溝２７、２７と切欠き３２、３２により、図３上の矢印線Ｚ、Ｚに示すように、取付本体１の差込片３０、３０をもって広げたり、狭めたりして取付本体１の湾曲状態を変更することができる。これにより、疑似被用者の腕５０の太さに応じて、取付本体１の幅や湾曲状態、アーチ状態を調整することが可能になる。
【００２９】
取付本体１の差込片３０、３０には、その中央に装着部２０を支持する支持孔３３、３３が形成され、この支持孔３３、３３にベルト状の装着部２０、２０を通すことで支持する。図４に示すように、一方の装着部２０には係止部２０ａが配置され、もう一方は所定の長さの装着部２０であって被係止部２０ｂが配置されている。取付本体１を疑似被用者の腕５０に巻き付け、装着部２０の係止部２０ａを被係止部２０ｂに係止して装着部２０によって腕５０を締め付けることで、腕５０に装着することができる。そして、取付本体１は、装着部２０によって腕５０を締め付けることで円周方向に屈曲して、装着する腕５０に合わせて縮径することができ、装着させる腕５０の形状に追従し易くなり、臨場感をより高めることができる。
【００３０】
取付本体１の表面側（上面）は、図３に示すように、模擬皮下組織層２を着脱自在で配置できるように周囲から一段凹んだ部分となる装着位置Ａを有している。具体的には、取付本体１の前側の段部１１、１１と、後側の起立片３１との間であって、左右側の左右段部３４、３４との間である。模擬皮下組織層２で上面を覆う範囲は、取付本体１上面の注射練習をするのに十分な広さとなる。この左右段部３４、３４はその下端付近で前側、中央、後側に取付孔２９、２９が形成される。
【００３１】
次に、取付本体１の装着位置Ａに装着する模擬皮下組織層２について説明する。図５に示すように、模擬皮下組織層２は、取付本体１の上面の湾曲形状と一致する突弧状、アーチ状の板体２８、２８と、この板体２８、２８の上面に貼着した疑似皮下組織の感触を再現する低反発性発泡材とからなる。低反発性発泡材は例えば低発泡ウレタンなどであり、メモリーフォーム（登録商標）が好ましい。板体２８、２８の先端２８ａ、２８ａは、模擬皮下組織層２の左右側から突出した状態となり、この先端２８ａ、２８ａを取付孔２９（図３参照）に差し込むことで模擬皮下組織層２全体を取付本体１に対して着脱自在としている。
【００３２】
この模擬皮下組織層２が板体２８、２８を取付本体１の取付孔２９、２９に差し込んで取り付ける構成とすることにより、取付本体１のアーチ状態の変化（湾曲状態の変化）があっても模擬皮下組織層２を適切に配置することが可能になる。つまり、取付本体１の装着位置Ａに模擬皮下組織層２を張り付けるだけでは、取付本体１を折り曲げ溝２７、２７や切欠き３２、３２によりアーチ状態の形態を変更させた場合に、その表面の伸縮により模擬皮下組織層２が剥がれてしまったり、破損してしまう。一方、板体２８、２８に取り付けた場合には、取付本体１のアーチ状態を変更しても、板体２８、２８が湾曲して、かつ、その先端２８ａ、２８ａに所定の長さを有するため、アーチ状態を変更したときに生じる表面の伸びを吸収して、安定して模擬皮下組織層２を配置することが可能になる。
【００３３】
次に模擬皮膚層４を張設する上カバー５について図６で説明する。模擬皮下組織層２の上側を覆う模擬皮膚層４は、取付本体１の上面に配置する上カバー５に張設される（図１参照）。図６ないし図８に示すように、この上カバー５は、取付本体１上面の湾曲形状と一致するアーチ状に形成され、その中央部分が切除されている。この切除された中央部分に模擬皮膚層４が張設される。
【００３４】
模擬皮膚層４は、ウレタン系材料で形成することで、シリコン系材料で形成した場合と異なり、消毒アルコールの乾燥状態（濡れ具合）を目視で確認でき、乾燥が不十分な未消毒状態での注射を防ぐことができる。また、ウレタン系マイクロセルポリマーシートを用いることで、アルコールによる膨張から未消毒状態を確認することができる。
【００３５】
上カバー５は、長手方向の側縁部分に取付本体１への固定手段として、その側方片であって、係止爪２４が形成される片の反対側の片の前後２箇所に、各々が外方に向けた鍵状の嵌合突起２２、２２が設けられる。取付本体１の右側段部３４に、この嵌合突起２２、２２を嵌入するための被嵌合孔（図示しない）が形成され、これらの嵌合により、上カバー５を取付本体１に対して着脱自在に取り付けることができる。
【００３６】
上カバー５の嵌合突起２２、２２が形成される片において、嵌合突起２２、２２より上方である近傍に、その長手方向にかけて折り曲げ線９（リビングヒンジ）を形成し、この折り曲げ線９に沿って折曲することによって模擬皮膚層４を張設した上カバー５全体を、取付本体１の上方に向けて開閉自在とする。そして、上カバー５で取付本体１の上面を覆って押圧状態とすることによって、模擬皮膚層４の下に模擬血管３が存在している注射の練習状態を実現することができる。
【００３７】
上カバー５は模擬皮膚層４を張設した内方部分の長手方向に４本の折り曲げ溝１４、１４、１４、１４を並列して形成している。そして、この折り曲げ溝１４に沿って上カバー５を折曲することによって上カバー５を縮径させて、腕５０に合わせて縮径した取付本体１のアーチ状態の変更形状に上カバー５を追従させることができる。
【００３８】
嵌合突起２２、２２により開閉自在となった上カバー５の閉じた状態を係止するため、嵌合突起２２、２２を設けた側方と反対側の側方に、係止爪２４と被係止部２５とからなる係止手段が設けられる。これは、上カバー５には爪状の係止爪２４が形成され、取付本体1にはフックを有する被係止部２５（図８参照）が形成され、これらを係止させることによって、上カバー５を閉じて模擬皮膚層２を押圧した状態を維持することができる。
【００３９】
被係止部２５の具体的な形態は、図８及び図９から理解されるように、取付本体１側に突出する支持軸（図示しない）を取付本体１の揺動孔２１（図３参照）に回転自在で取り付けることによって、この揺動孔２１（支持軸）を支点として取付本体１の長手方向に揺動することができる。被係止部２５は係止爪２４よりも幅広の挿通部２５ａを有し、この挿通部２５ａの内面に係止爪２４を係止する凸部（フック）を複数有している。なお、符号２６は挿通部２５ａを変形させて係止爪２４の係止を解くつまみである。
【００４０】
この揺動は、疑似被用者の腕５０に取付本体１を取り付け、さらに上カバー５を閉じて係止爪２４と被係止部２５とを係合させるときに、この係合を容易にするものである。つまり、一般的に人の腕は肘部分から手首部分にかけてその周囲が短くなる。疑似被用者の腕５０に取付本体１の腕通し部分５１を挿入し、取付本体１の長手方向中央部分にあるベルト状の装着部２０で締め付けると、肘側（肩側）が太くなり、手首側が細くなることから、前後方向に掛けてアーチ状態が若干の異なるものとなる（手首側にかけて収縮する）。そこで、上カバー５の係止爪２４を被係止部２５に係合させ易くするために。被係止部２５を前後方向に回動・揺動することが好ましく、上カバー５の安定した係止が可能になる。
【００４１】
次に、取付本体１に配置する模擬血管３の装着について説明する（図１参照）。模擬血管３は、模擬血液バック６とともに使い捨てのものとして供給している。模擬血液バック６は、図１０に示すように、図面上方形の袋(ケース)に模擬血液を収容し、このケースの基端部から先方に向けて円筒状の連結部１５を突出させ、この連結部１５に天然ゴムなどで形成する盲筒状の模擬血管３を接続している。
【００４２】
模擬血液バック６に充填する模擬血液は、赤く着色し臨場感を持たせるとともに、模擬血管３を含めその内部に空気が入らない状態で密封しておき、模擬血液バック６及び模擬血管３全体を密封包装しておくのが好ましい。模擬血液バック６や模擬血管３内に空気が入らない状態としておくことによって、練習者が針を刺した時、液体と空気が混じりあった気泡がシリンジ内に入るのを防止することができる。また、模擬血液バック６を完全な密封包装とすることによって、模擬血液バック６や天然ゴムである模擬血管３の劣化を防止することができる。模擬皮下組織層２の上に配置する模擬血管３は、練習者の技量に応じて直線状や蛇行状態に配置することが好ましい。
【００４３】
図３に示すように、取付本体１の前側の起立片３１から複数の段部１１、１１の間に、左右の幅方向に溝状となるバック収容部７を有する。バック収容部７は、幅方向（左右方向）に並ぶ複数の設置部１０、１０、１０を形成している。設置部１０に模擬血液バック６を配置することで、後述の使用時に駆血帯１６を巻くことで、押え具８により、複数の模擬血液バック６を一度に圧迫するとともに、設置部１０に配置した模擬血液バック６から突出する模擬血管３を、適正に模擬皮下組織層２の上に配置することができるようにしている（図２参照）。
【００４４】
また、図１に示すように、取付本体１の前側には、バック収容部７の内奥（基端部）に段部１１を設け、段部１１の設置部１０の中央と並ぶ位置にスリット１２を形成し、連結部１５及び模擬血管３がスリット１２に入り込むことができるようにしている。このスリット１２によって、設置部１０に配置した模擬血液バッグ６をバック収容部７の所定位置に確実にセットし、模擬血管３が適正に模擬皮下組織層２上に位置するようにすることができる。
【００４５】
図６に示すように、上カバー５の前側であって、バック収容部７の上方に位置する部位には、模擬血液バック６を押圧するための押え具８が配置される。押え具８は上カバー５の前側中央に形成した薄肉部１３（リビングヒンジ）を介して上カバー５に連結される。図１１の破線に示すように、押え具８は薄肉部１３を屈曲させることで前下方に移動自在であり、後述する駆血帯１６（図２参照）を巻き付けて薄肉部１３を屈曲させることによって押え具８で模擬血液バック６を押圧することができる。押え具８の底面には、模擬血液バッグ６を効果的に押圧することができるように、押圧凸部８ａを設けている(図１参照)。押圧凸部８ａ、８ａ、８ａは、上カバー５の円弧よりも下方に突出するよう形成しており、設置部１０、１０、１０の上方に位置するようにしている。
【００４６】
上記構成とすることにより、押え具８を下方に向けて押し込むと、押圧凸部８ａが模擬血液バッグ６を上方から圧迫し、その内部に充填している模擬血液の内圧を上昇させる。この内圧上昇は、模擬血管３内の模擬血液も同じであり、現実の怒張状態と似た状態を実現する。
【００４７】
図２に示すように、押え具８を駆血帯１６で腕５０ごと締め付けることによって、駆血帯１６の取付を練習することができるとともに、模擬血液バッグ６を圧迫して一定内圧の怒張状態（圧迫状態）を維持することができるようにしている。怒張状態を解除するには、駆血帯１６による締付状態を解除することによって押え具８を上方に戻す（押え具８による圧下を解く）こととなる。そして、駆血帯１６の締付によって上カバー５の長手方向の押え具８側が他方側よりも取付本体１に近づくように変形することがある。この変形に対して被係止部２５を揺動させることによって、係止爪２４と被係止部２５の係止を維持することができる。
【００４８】
押え具８を複数の設置部１０、１０、１０の上方に配置することで、複数の模擬血液を使用することができ、押え具８で全ての模擬血液に対応することが可能になる。設置部１０、１０、１０の表面にはトウソクヒ（橈側皮静脈）やシャクソクヒ（尺側皮静脈）などの模擬血管３によって模擬する血管名やその一部を記載してもよい。また、バック収容部７を広く形成するとともに、上カバー５を揺動自在で係止することによって、異なる容量の模擬血液バック６を配置することができる。例えば従来の約２倍といった、大容量の模擬血液バック６を配置することによって、多量の模擬血液を要する真空採血などを練習することができる。また、異なる容量の模擬血液バック６としては複数の設置部１０、１０、１０に跨って配置される大型のものであってもよい。
【００４９】
模擬皮膚層４は、使用(練習)によって針孔が穿孔される。したがって、模擬皮膚層４は適宜交換するのが好ましい。そのため、上カバー５を着脱自在とすることによって、例えば上カバー５のみを練習者各自が所有して気兼ねなく練習し、取付本体１を共有とすることができる。
【００５０】
上カバー５に模擬皮膚層４を張着するには、練習者の技量に応じて、好みの材質や厚みの模擬皮膚層４を、両面粘着テープなどを用いて上カバー５に貼り付ける。また、模擬皮膚層４を厚いものに変えることで、浮腫状態の場合の注射を練習することができる。
【００５１】
図１に示すように、取付本体１は、机などに載置するために底面が平坦となったデッキ４０を設けるのが好ましい。デッキ４０は、長方形の底板からなり、その底板の側端部は取付本体１の両差込片３０、３０を差し込み固定するための溝部４１、４１を有しており、これらの係合により取付本体１をデッキ４０から着脱自在としている。取付本体１をデッキ４０に装着することによって、腕５０に装着させなくても駆血帯１６の取付や血管注射を練習することができる。
【００５２】
デッキ４０の前後両端付近には、取付本体１を保持するための保持部４２、４２が形成されている。この突弧状、アーチ状の保持部４２、４２に取付本体１の下面を載せることで、取付本体１を突弧状態、アーチ状態を保持したまま、デッキ４０に載せることが可能になる。また、この保持部４２、４２は、取付本体１の折り曲げ溝２７、２７の位置に応じた凹部４２ａ、４２ａが形成されている。この折り曲げ溝２７、２７の前後端が凹部４２ａ、４２ａに入り込み、取付本体１がデッキ４０に保持された状態でズレたりすることを防止する。
【００５３】
また、デッキ４０の長手方向の前後両端部は、幅方向の中央部を突弧状に膨出させてかまぼこ状に形成されている。デッキ４０は全体として上方に開放する殻状とし、取付本体１を蓋とすることで収納部４３を形成している。この収納部４３に練習に必要な留置針、シリンジ、注射針、駆血帯１６などを保管しておくことも可能である。
【００５４】
取付本体１のバッグ収容部７に相当する位置において、デッキ４０には、その両側方において、内側に凹んだ駆血帯通し孔５２、５２が形成される。この駆血帯通し孔５２、５２は、デッキ４０だけでなく、取付本体１及び上カバー５の相当する位置にも同じく形成されている。この駆血帯通し孔５２、５２により、装着時に腕に巻くように駆血帯１６を通すことができ、より臨場感をもった練習が可能になる。
【００５５】
上カバー５において、押え具８の幅方向両端にも駆血帯通し孔５２、５２が形成され、取付本体１やデッキ４０にも駆血帯通し孔５２、５２が形成されているため、練習者はこの駆血帯通し孔５２、５２と押え具８の部分が駆血帯巻付け部分であることが明示されて、駆血帯１６の巻き付け位置を把握し易くなるとともに、駆血帯１６を巻き付けし易くし、巻き付け状態を保持し易くしている。
【００５６】
本実施形態においては、取付本体１、上カバー５、デッキ４０のいずれにも駆血帯通し孔５２、５２が形成されたものを例示しているが、必ずしもこの形態に限定するものではなく、例えば取付本体１のみに駆血帯通し孔５２、５２が形成されるものでもよい。
【００５７】
この駆血帯１６の巻き付けが押え具８を兼ねることにより、駆血帯１６を巻きつけると、押え具８が模擬血液バック６を押え、圧迫状態とすることができる。これは、実際の注射をする場合に駆血帯１６を使用する場合を再現するものであるため、より臨場感のある練習が可能になる。また、駆血帯通し孔５２、５２によってラテックス製の多い紐状だけでなく帯状などの他の形状の駆血帯１６も使用することができ、疑似被用者がラテックスアレルギーであっても布製などの駆血帯１６で練習することができる。
【符号の説明】
【００５８】
１…取付本体、２…模擬皮下組織層、３…模擬血管、４…模擬皮膚層、５…上カバー、６…模擬血液バック、７…バック収容部、８…押え具（駆血帯巻付け部分）、１６…駆血帯、２２…嵌合突起、２４…係止爪（係止手段）、２５…被係止部（係止手段）、２７…折り曲げ溝（湾曲変更手段）、４０…デッキ、５０…腕、５１…腕通し部分、５２…駆血帯通し孔。
【図１】
2019152770.tif 000003
【図２】
2019152770.tif 000004
【図３】
2019152770.tif 000005
【図４】
2019152770.tif 000006
【図５】
2019152770.tif 000007
【図６】
2019152770.tif 000008
【図７】
2019152770.tif 000009
【図８】
2019152770.tif 000010
【図９】
2019152770.tif 000011
【図１０】
2019152770.tif 000012
【図１１】
2019152770.tif 000013